(57)【特許請求の範囲】
【請求項１】
所定寸法離間して略並行に配置された２個の軌条体構成部材を有する軌条体と、該軌条体をパターのヘッドの打撃面に対してその長手方向が略直角となるようにパターに取付け得るように構成された取付け手段とを具備し、前記軌条体構成部材はその離間寸法がボールの直径より小さく且つ前記軌条体にボールを載せた場合、該ボール底部が該軌条体底部より下方に突出する寸法としたゴルフ練習具であって、
前記取付け手段で前記軌条体を前記パターに取り付けた状態における該パターの前記ヘッドの前記打撃面より前方の所定位置に、前記軌条体長手方向と略直角なスイング直角方向を視認することのできるスイング直角方向指示機構を設け、前記スイング直角方向指示機構は、前記軌条体の長手方向中心線に対し略対称な位置に設けられたスイング直角方向指示部材で構成されていることを特徴とするゴルフ練習具。
【請求項２】
前記軌条体は前記パターに前記取付け手段で取り付けた状態で、該取付け手段に対して所定範囲で上下に傾動し得るように構成されていることを特徴とする請求項１に記載のゴルフ練習具。
【発明の詳細な説明】
【０００１】
（技術分野）
本発明はゴルフ練習具に関し、特にパッティングやショートアプローチ等のような軽い打撃の練習を繰り返し簡便に行い得るゴルフ練習具に関するものである。
（背景技術）
【０００２】
ゴルフの上達においては、パッティング技術の上達が不可欠とされ、ひろく愛好家のあいだでは、家庭等で不断の練習がおこなわれている。しかしながら、従来は練習のためのマットの敷設、収納、ボールの位置決め、打撃後のボールの収集等に多大の手間を要し、手軽に練習を行い得ないのが実情である。こうした観点から、本出願人は先に狭い場所でも簡便にパッティングの繰り返し練習を行い得るゴルフ練習具として、特開昭５９―１３７０７３号公報、および特開昭６３―５９９７８号公報に示すような構成を有するゴルフ練習具を提案している。
【特許文献】
特開昭６３―５９９７８号公報
【０００３】
上記ゴルフ練習具（以下、従来例という）の基本的な構成は図５０〜図５８に示すようなもので、図５０は右利きの練習者がボールを打撃するべく構えた状態を練習者の前方から見た側面図、図５１は平面図、図５２は図５０のＥ―Ｅ断面図、図５３は図５０のＦ―Ｆ断面図である。上記図において、９０は軌条体であり該軌条体は仮想の平面Ｎ内で２次元的に前方（ｘ方向）上がりに湾曲している。該軌条体９０は所定の寸法だけ離間して略並行に配置された２個の軌条体構成部材９０ａ、９０ａで構成され、その離間寸法は図５３に示すようにボール９１の直径寸法より適量小さく、且つ軌条体９０にボール９１を載せた場合、該ボールの底部が軌条体の下面より下方に突出する寸法に構成されている。また軌条体９０の後部には、該軌条体をパター９２のヘッド９３に取り付けるための取付手段９４が設けられている。
【０００４】
上記構成の従来例は、パッティング練習に先だって図５０、図５１に示すように取付手段９４を介して軌条体９０をパターのヘッド９３に取り付ける。この取り付けは上方から見た軌条体９０の長手方向中心線がヘッド９３の打撃面９５と直角になるように行い、このように取り付けた状態で２個の軌条体構成部材９０ａ、９０ａを軌条体の幅方向に結んだ直線Ｇ（直線Ｇと前記仮想平面Ｎはｘ方向から見て直角）とパターのシャフト９６のなす角は、図５４に示すようにθ１１となる。このように取り付けた状態で、練習者はパターのシャフト９６を振ることによって、ヘッド９３と軌条体９０を一体的にスイングすることができる。
【０００５】
以上のように、軌条体９０をパターのヘッド９３に取り付けた状態でパッティング練習を行うには、まず、図５０〜５２に示すように、２個の軌条体構成部材９０ａ、９０ａの間の床面９７上にボール９１を置き、軌条体９０を床面から微少寸法だけ浮かして、ボール９１を軌条体構成部材９０ａ、９０ａから離れさせ、パッティング動作の規範に則ってボールの真上に目９８を置き、上方から見た軌条体９０の中心線が一直線に見えるように構える。このように構えた状態で、パターのシャフト９６と床面９７のなす構え角は、図５２に示すようにθ１１となる。
【０００６】
つぎに通常のパッティングと同様にヘッド９３を真っすぐに後方に引いてボール９１に接触しないように２個の軌条体構成部材９０ａ、９０ａをすり抜けさせ、同様にすり抜けさせながらヘッド９３を前方に振り出してボールを打撃する。打撃されたボールは或る距離だけ軌条体構成部材９０ａ、９０ａに接触することなく床面９７上を前方に転がり、その後においてヘッドの描く円弧状軌跡に沿って上昇する軌条体９０に掬い上げられて失速し、２個の軌条体構成部材に跨がって、ヘッド９３まで転がり降りてくる。上記従来例はこうした動作を繰り返すことによって簡便にパッティング練習を行うものである。
【０００７】
そして、上記パッティングの繰り返し練習を行うに際しては、図５５に示すように、上方から見たボール中心を通る目標方向の直線を打撃目標線Ｍとして仮想し、該打撃目標線Ｍと、真上から見た一直線をなす軌条体９０の長手方向中心線を一致させるように構え、該軌条体の長手方向中心線が、打撃目標線Ｍから逸脱しないようにスイングすることによって、パッティング動作の規範とされる直線的なスイングが習得できるのである。
【発明の開示】
【発明が解決しようとする課題】
【０００８】
しかしながら上記従来例では、取付け手段９４を介して軌条体９０をヘッド９３に取り付けた状態で、２個の軌条体構成部材９０ａ、９０ａを軌条体幅方向に結んだ前記直線Ｇとシャフト９６のなす角θ１１は、ヘッド９３の形状と取付け手段９４の構造によって決定するもので．常に一定の角度となる。これに対し、前記打撃するべく構えた状態での床面９７とシャフト９６のなす前記構え角は固有のものであって練習者によって異なる。
【０００９】
こうしたことから、上記したようにボール９１の真上に目９８を置いて構えた練習者の目に、図５５に示すように軌条体９０の中心線がに直線に見えるのは、前記構え角と、前記２個の軌条体構成部材９０ａ、９０ａを軌条体幅方向に結んだ直線Ｇのなす角θ１１とが、珍重にも一致した場合のみに限られ、図５６に示すように構え角θ１２がθ１１より小さい場合は、練習者の目には上方から見た軌条体９０が図５７に実線で示すように湾曲して見え、軌条体の中心線は前方に行くほど打撃目標線Ｍから大きく逸脱する。また反対に図５８に示すように構え角θ１２が前記θ１１より大きい場合は、図５７に破線で示すように軌条体が反対方向に湾曲して見え、この場合も軌条体の中心線は前方に行くほど打撃目標線Ｍから逸脱する。
【００１０】
そして、上記のように上方から見て湾曲した軌条体を打撃目標線Ｍに沿って真っすぐスイングすることはきわめて困難となる。即ち、ボールを注視しながらヘッドを後方に引いてテークバックをとると、ヘッドの打撃面９５の向きが視野から外れて練習者に見えなくなる一方で、上から見た軌条体が湾曲しているためにボールの両側をすり抜ける２個の軌条体構成部材９０ａ、９０ａは軌条体幅方向に移動する。つまり、パッティングの規範に則ってヘッドを打撃目標線Ｍに沿って真っすぐ後方に引いたとしても、上から見た軌条体が湾曲しているために軌条体には湾曲による見かけの幅方向の振れが発生し、パッティングの規範から外れてヘッド打撃面９５の向きに狂いが生じた場合は、上記見かけの振れに更にこのスイングの不良による真の振れが加わって一層大きな振れが発生する。
【００１１】
このようにスイングの良否にかかわらず床上に静止したボールの両側に発生する軌条体の幅方向振れは、練習者にとってスイングの直進性を判断できないばかりか、この振れに惑わされて、パッティングの規範とされる直線的なスイングが習得できず、湾曲して見える軌条体が弊害となって、かえって悪いスイングが身につくという重大な欠点となっている。
【００１２】
本発明は上述の点に鑑みてなされたものであり、上記従来例をパターに取付けた状態では、前記２個の軌条体構成部材９０ａ、９０ａを軌条体幅方向に結んだ直線Ｇと、パターのシャフトのなす角θ１１と、練習者固有の構え角θ１２との差異により、構えた状態で上方から見た軌条体が湾曲して見える場合でも、この湾曲して見える軌条体に惑わされることなく、ヘッド打撃面９５の方向を打撃目標線Ｍに対して直角に保ちながら、パッティングの規範どおりにスイングし得るゴルフ練習具の提供を目的としている。
【００１３】
（課題を解決するための手段）
上記課題を解決するため請求項１に記載の発明は、所定寸法離間して略並行に配置された２個の軌条体構成部材を有する軌条体と、該軌条体をパターのヘッドの打撃面に対してその長手方向が略直角となるようにパターに取り付け得るように構成された取付け手段とを具備し、前記軌条体構成部材はその離間寸法がボールの直径より小さく、且つ前記軌条体にボールを載せた場合、該ボール底部が該軌条体底部より下方に突出する寸法としたゴルフ練習具であって、前記取付け手段で軌条体をパターに取り付けた状態におけるパターのヘッドの打撃面より前方の所定位置に、軌条体長手方向と略直角なスイング直角方向を視認することのできるスイング直角方向指示機構を設け、前記スイング直角方向指示機構は、軌条体の長手方向中心線に対し略対称な位置に設けられたスイング直角方向指示部材で構成されていることを特徴とする。
【００１４】
また、請求項２に記載の発明は、請求項１に記載のゴルフ練習具において、軌条体はパターに取付け手段で取り付けた状態で、該取付け手段に対して所定範囲で上下に傾動し得るように構成されていることを特徴とする。
【００１５】
（発明を実施するための最良の形態）
以下、本発明の実施の形態例を図面に基づいて説明する。
〔第１実施形態例〕
図１〜図９は本発明の第１実施形態例であるゴルフ練習具を示す図である。図１は右利き練習者が所持する通常のパターヘッド４０に本発明のゴルフ練習具を装着し、前方（ｘ方向）へ打撃するべく構えた状態を示す側面図、図２は平面図、図３は図１のＡ―Ａ断面図、図４は図１のＢ―Ｂ断面図、図５は図２のＣ部を示す分解組み立て斜視図、図６はスイング直角方向指示機構の分解組み立て斜視図、図７は第１実施形態例の作動図、図８及び図９はスイング直角方向指示機構の作動図である。
【００１６】
本ゴルフ練習具は、図１及び図２に示すように通常のパター２３のヘッド４０に取り付けることのできる基板１と、該基板１に傾動機構２を介して連結された軌条体３と、軌条体３の途上に設けられたスイング直角方向指示機構４及び軌条体３の先端に設けられたストッパー部材５より成る。
軌条体構成部材３ａ、３ａの上面には後に述べる練習時にテークバック寸法を読み取ることができるテークバック読み取り目盛り３１が設けられている。軌条体３は、後方から前方（ｘ方向）に向かって略平行に伸びた２個の軌条体構成部材３ａ、３ａで構成され、該軌条体３は凹状にわん曲している。このわん曲半径は、多くの練習者がスイングした場合にパター２３のヘッド４０の底部が描く円弧状軌道Ｓの半径より適量大きい寸法に形成されている。２個の軌条体構成部材３ａ、３ａはボール６の直径寸法より適量小さい間隔で配置され、その断面は、軌条体３上にボール６をのせた場合、図３に示すようにボール６の底部が軌条体３の底部から下方に向けて寸法ａだけ突出するように構成される。また２個の軌条体構成部材３ａ、３ａはその前端部において、ストッパー部材５により一体的に連結されている。
【００１７】
軌条体３の後部には、前方が二股状に開き、底面が前記円弧状軌道Ｓと略等しい半径でわん曲した板状の基板１が配置され、該基板１前端両側部にはパターヘッド４０の打撃面２４を宛てがうための打撃面当接体７、７が立設されている。
この２個の打撃面当接体７、７は平面的に見て軌条体３の中心線と略直角をなすｚ方向一直線上に配置される。打撃面当接体７、７の両外側部にはｚ方向のヒンジピン孔を有するヒンジピン取り付け部材８、８ａが一体的に設けられている。一方、２個の軌条体構成部材３ａ、３ａの後方には前記と同様にｚ方向のヒンジピン孔を有するヒンジピン取り付け部材９、９ａが立設され、軌条体３の中心線に対し同じ側にあるヒンジピン取り付け部材８、９および８ａ、９ａのヒンジピン孔には片端に雄ネジ部を有する頭付きヒンジピン１０、１０がｚ方向一直線上にあるように遊嵌され、片端にはナット１１が螺入され、接着剤などにより固着されている。
【００１８】
上記のようにヒンジピン１０、１０を介して基板１と軌条体３を連結した状態で、ヒンジピン取り付け部材９、９ａより後部の軌条体構成部材３ａ、３ａは基板１の底面に略平行に接している。軌条体３はヒンジピン１０、１０を軸として、基板１に対し、図１の実線で示す初期の状態から、破線で示す位置まで少なくとも角度θ１まで反時計方向に回動自在であるが、前記初期状態から時計方向への回動は軌条体構成部材３ａ、３ａの後部が基板１に当接しているため阻止されている。なお、上記初期の状態で軌条体３のわん曲線の後端部の接線と、基板１のわん曲線の前端部の接線は略同じ傾きを有している。
【００１９】
スイング直角方向指示機構４は軌条体３の所定位置に設けられ、図６に示すように軌条体３の外側に向けて突出した取り付け座１２、１２と、該取り付け座１２、１２の上面にビス１３及びローレットナット１４により取り付けられる略Ｌ字状の方向指示部材１５、１５とから成る。なお、１６、１６はビス１３、１３を挿入するために取り付け座１２、１２に設けられた軌条体長さ方向（ｘ方向）の長孔、１７、１７は、方向指示部材１５、１５の底辺として形成されたスイング直角方向指示部材１８、１８に設けられた軌条体幅方向（ｚ方向）の長孔である。方向指示部材の垂直部材１９、１９の上部は上面が略水平となるように折り返され、該折り返し部２１、２１の上面には上方から視認できるマーク２０、２０が設けられる。なお、２２は取り付け座１２を軌条体構成部材３ａ、３ａに固着するためのビスである。
【００２０】
上記のように構成されたスイング直角方向指示機構４は、ローレットナット１４、１４を緩めた状態では、取り付け座１２、１２に対し、長孔１７、１７を用いて、方向指示部材１５、１５を軌条体幅方向（ｚ方向）に摺動させることができ、また長孔１６、１６を用いて方向指示部材１５、１５を軌条体長手方向（ｘ方向）に摺動させることができ、さらにはビス１３を軸として方向指示部材１５、１５を取り付け座１２、１２に対し回転することができる。
【００２１】
また、上記の方向指示部材１５、１５は、図示するように２個の軌条体構成部材３ａ、３ａの内縁より充分な寸法だけ軌条体の外側に向けて隔たった位置に設けらているので、後述する打撃練習時に軌条体がボールに接触するまで幅方向に振れても、方向指示部材１５、１５がボールに接触することはない。
【００２２】
以下、上記構成のゴルフ練習具を通常のパターに取り付けてパッテイング練習を行う方法について説明する。まず、図１、図２に示すように、パター２３のヘッド４０の打撃面２４を打撃面当接体７、７に宛てがい、平面視でヘッド４０の重心位置を軌条体３の中心線に一致させ、押さえ具２５の前端をヘッド４０の上面に、また後端部の舌片２６を基板１に設けられた多数個の角孔２７のいずれかに嵌め合わせ、基板１の下方から孔２７ａを介して挿入したボルト２８にローレットナット２９をねじ込んで締め付ける。これにより基板１、軌条体３は共にパターヘッド４０に一体的に固定される。
【００２３】
つぎに２個の軌条体構成部材３ａ、３ａの間の床面３０上にボール６を置き、軌条体３の底部を床面３０から微小寸法だけ浮かした状態で通常のパッティング練習をするようにパター２３を構える。この状態で軌条体３の底部は図４に示すように床面３０より微小寸法ｂだけ上方にあり、この寸法ｂは図３に示した寸法ａより小さい。従ってボール６は２個の軌条体構成部材３ａ、３ａには接触しない。
【００２４】
つぎに、図７に示すようにヘッド４０を後方（―ｘ方向）に引いてテークバックをとるとヘッド底部は凹状の円弧状軌跡Ｓに沿って軌条体３と共に移動する。この円弧状軌跡Ｓの半径は練習者の身長、姿勢等によって異なり、練習者固有のものである。しかしながら前記したように軌条体３のわん曲線の半径は、練習者がスイングした場合のヘッド４０の描く円弧状軌道Ｓの半径より大きい。このため、ヘッド４０の後方への移動が進むにつれて軌条体３の底部はやがては床面３０に接し、その後は床面を擦りながらヘッド４０に曳かれて後方に移動する。
【００２５】
この移動につれて軌条体３はヒンジピン１０、１０を軸として、ヘッド４０および基板１に対しては角度θ１だけ反時計方向に回転してテークバックが終了する。このテークバックした寸法は軌条体構成部材３ａ、３ａに設けた前記テークバック読み取り目盛り３１によって練習者が上方から視認できる。このテークバックの終了状態で軌条体３の底部は床面３０と点Ｐで接し、床面に静止したままのボール６の位置における床面３０から軌条体３の底部までの高さ寸法はｃとなる。
【００２６】
しかしながら上記寸法ｃは通常の範囲では円弧状軌道Ｓがどのような半径であっても、常に図３で示した寸法ａより小さくなる。従って、テークバックによって軌条体構成部材３ａ、３ａは床面３０に静止したボール６に接触することはなく、２個の軌条体構成部材３ａ、３ａは、テークバック開始から終了まで、ボール６の中心から下方の側部をすり抜ける。
【００２７】
つぎにヘッド４０を前方に振り出して床面に静止したボール６を打撃するが、この場合は上記したテークバックの場合とは逆の過程をたどり、軌条体３はやはりボール６に接触することなく基板１、つまり、ヘッド４０に押されて床面３０を擦りながら前方に移動する。そして軌条体３は基板１に対しては前記とは反対に時計方向に角度θ１だけ回転し、図１に示す初期の状態にもどりパターのヘッド４０がボール６を打撃する。この打撃と同時に前記軌条体構成部材３ａ、３ａの後部が基板１の底面に接触して、その後の軌条体３の時計方向の回転は阻止される。
【００２８】
ヘッド４０に打撃されたボール６は軌条体３の軌条体構成部材３ａ、３ａに接触することなく、或る距離だけ床面３０上を前方に転走する。このボール６の転走速度はヘッド４０と連動して振り出される軌条体３の速度より大きい。しかしながらヘッドに対する時計方向の回転を阻止された軌条体３は、ヘッド４０の円弧状軌跡Ｓに沿って上昇しつづけるので、ボール６はやがて軌条体３に乗り上げ、２個の軌条体構成部材３ａ、３ａに跨がって軌条体上を転走しはじめる。
【００２９】
軌条体３上を転走しはじめたボール６はその後のヘッド４０の振り出しによって起こる軌条体３の前上がり勾配の増加によって制動され、軌条体３上で失速する。また強く打撃した場合は先端のストッパー部材５に衝突して失速する。軌条体３上で失速したボール６は２個の軌条体構成部材３ａ、３ａに跨がってヘッド４０の位置まで転がり落ちてくる。本発明のゴルフ練習具は上記した一連の打撃動作を繰り返すことによってパッティング練習を行うものであるが、以下にスイング直角方向指示機構４の作用について説明する。
【００３０】
まず、ボール６を真上から見るように構えた状態で、軌条体の長手方向中心線が一直線に見える前記構え角を有する練習者の場合は、打撃練習に先だって、ローレットナット１４、１４を緩め、図８に示すように、スイング直角方向指示部材１８、１８の長手方向中心線（ｚ方向中心線）が、共に上方から見た軌条体３の長手方向中心線と直交する直線Ｋ上にあって、しかも折り返し部２１、２１に設けたマーク２０、２０が、共に上方から見た軌条体３の長手方向中心線より、同じ寸法Ｔだけ隔たった位置にあるように、方向指示部材１５、１５を調整し、ローレットナット１４、１４を締め付けて、該方向指示部材１５、１５を取り付け座１２、１２に固定する。この調整は長孔１６…、１７…等を用いて行う。
【００３１】
上記のようにスイング直角方向指示機構４を調整した後、同図８に示すように、ボール６の中心を通る仮想の直線を打撃目標線Ｍとして想定し、該打撃目標線Ｍと上方から見た軌条体３の長手方向中心線が一致するように軌条体３を目標方向に向けて構え、前記したように繰り返し打撃スイングを行って打撃練習を行う。この場合、スイングは前記マーク２０、２０がボール６中心から等しい寸法Ｔだけ隔たったところをすり抜けるように軌条体３の幅方向の振れを管理しながら行う。こうした幅方向振れの管理は前記マーク２０、２０の形状や色彩などを考慮することによりいっそう行いやすくなる。
【００３２】
また更に、スイング直角方向指示機構４を上記のように調整した本発明のゴルフ練習具は、スイング直角方向指示部材１８、１８の中心線を結ぶ直線Ｋが、上方から見たヘッドの打撃面２４の方向ｎと平行になっており、しかも該スイング直角方向指示部材１８、１８がヘッドの打撃面２４より所定寸法だけ前方（ｘ方向）に位置しているので、テークバックによるヘッドの後方（―ｘ方向）移動によってヘッド打撃面２４の向きが視野から外れて見にくくなった場合にも、該打撃面２４の向きを視野内にあるスイング直角方向指示部材１８、１８を結んだ直線Ｋの向きで管理することができ、これによってヘッドの打撃面２４を打撃目標線Ｍに直角に保ったまま後方に引き、前方に振り出すという、パッティングスイングの基本動作を容易に習得することができる。
【００３３】
つぎに、前記したように上から見た軌条体が湾曲して見える場合のスイング直角方向指示機構の作用について述べる。このようにボール６を真上から見るように構えた状態で軌条体の長手方向中心線が湾曲して見える練習者の場合も、打撃練習に先立ち、前記同様にローレットナット１４、１４を緩め、この場合は図９に示すように取り付け座１２、１２に対し方向指示部材１５、１５を移動して調整する。この調整は上方から見てスイング直角方向指示部材１８、１８の長手方向中心線（ｚ方向中心線）が共に上方から見たヘッドの打撃面２４の方向ｎと平行な直線Ｋ上にあって、しかもマーク２０、２０が共に上方から見たボール中心を通る打撃目標線Ｍから同じ寸法Ｔ、Ｔだけ隔たった位置にあるように行う。上記のように調整した後はローレットナット１４、１４を締め付けて方向指示部材１５、１５を取り付け座１２、１２に固定する。なお、上記調整は長孔１６…、１７…を用いた方向指示部材１５、１５の軌条体の長手方向（ｘ方向）及び幅方向（ｚ方向）移動と、ビス１３を軸とした回転を組み合わせることにより行い得る。なお図９は説明をわかりやすくするため軌条体の湾曲を誇張して示した平面図である。
【００３４】
上記のようにスイング直角方向指示機構４を調整した本発明のゴルフ練習具は、構えた状態で上方から見た場合、軌条体３の長手方向中心線が図９のように湾曲しているにもかかわらず、スイング直角方向指示部材１８、１８の中心線が上方から見たヘッドの打撃面２４の方向ｎと平行な直線Ｋ上にあって、しかもマーク２０、２０が共にスイングしようとする打撃目標線Ｍより寸法Ｔだけ隔たった位置にあるので、打撃練習に際しては、マーク２０、２０がボール中心から等しい寸法Ｔだけ隔たったところをすり抜けるように管理しながら、且つスイング直角方向指示部材１８、１８の中心線から想定される直線Ｋを打撃目標線Ｍに対し直角に保つようにスイングするだけで、湾曲した軌条体３に惑わされることなく、パッティングの規範とされるヘッドの打撃面２４を、打撃目標線Ｍに対し直角に保ったまま、打撃目標線Ｍ上を真っすぐに後方に引いて、真っすぐ前方に振り出すというパッティングの基本の動作を確実に習得することができる。なおヘッドを後方に引いて打撃面２４の向きが見えなくなった場合でも、該打撃面の向きをスイング直角方向指示部材１８、１８を結んだ仮想の直線Ｋの向きで管理できるのは前記と同じである。
【００３５】
なお、構えた状態で上方から見た軌条体３が図９と反対方向に湾曲して見える場合も、方向指示部材１５、１５を取り付け座に対し、上記と反対方向に調整することにより、同様の作用効果を奏させることができる。
【００３６】
本発明の第１実施形態例は上述したようなものであり、パターに取り付けるだけで面倒なボール収集等が不要となり、構えた状態で上方から見た軌条体が湾曲して見える場合でも、その湾曲した軌条体に惑わされることなく、パッティングの基本動作を簡単に習得することができる。また、ヘッドを後方に引いてヘッド打撃面の向きが視野から外れた場合でも、その打撃面の向きを視野内にあるスイング直角方向指示部材の向きで確認することができるので、パターのヘッド打撃面を打撃目標線に対して直角に保ったままスイングするという、パッティングの基本動作を簡単に習得することができる。
なお、前記したように方向指示部材は２個の軌条体構成部材の内縁より軌条体の外側に向けて充分な寸法だけ隔たった位置に設けられているので、スイング途上に軌条体が幅方向に振れても方向指示部材がボールに接触することはなく、従って練習者は誤った方向にスイングした場合でも、打撃後のボールを軌条体の先端まで到達させることできる。
【００３７】
〔第２実施形態例〕
図１０〜図１３は本発明の第２実施形態例であるゴルフ練習具を示す図である。図１０はゴルフ練習具の側面図、図１１〜図１３は作用を模式的に示した側面図である。図１０において、軌条体３のわん曲半径は多くの練習者がパターをスイングしたときに、ヘッド４０の底部が描く円弧状軌跡Ｓの半径より適量小さい。
【００３８】
本第２実施形態例では、図１０に示すようにヒンジピン取り付け部材９、９ａより後方には軌条体構成部材を設けず、基板１の底面と軌条体構成部材３ａ、３ａの底面を略同じ高さに保ち、基板１の前端に設けた打撃面当接体７、７と軌条体３の後端部に設けたヒンジピン取り付け部材９、９ａの後端との間には寸法ｄの隙間を設けている。
【００３９】
上記のような隙間を設けることにより、基板１に対して軌条体３が、図中に実線で示した状態、すなわち、基板１の前端部底面の接線と軌条体３の後端部底面の接線とが略一致した状態から、図中に破線で示したように、反時計方向には角度θ２、時計方向には角度θ３だけ回転できるように構成される。このように角度θ３だけ時計方向に回転した時点で、軌条体構成部材３ａ、３ａの後端部が基板１の打撃面当接体７、７に接触し、それ以上の回転が阻止されるようになる。なお、本第２実施形態例において、上記以外はスイング直角方向指示機構４を含めて前記第１実施形態例と同じである。
【００４０】
上記構成のゴルフ練習具の作用を図１１〜図１３に基づいて説明する。まず、上記同様にパターを構えた状態から、図１１に示すようにテークバックをとると、軌条体３のわん曲線の半径がスイング時の円弧状軌跡Ｓの半径より小さいので、軌条体３は自重により、ヒンジピン１０、１０を軸にして、ヘッド４０に対しては角度θ３だけ時計方向に回転する。そして、テークバック終了時は軌条体３の底部は床面３０と点Ｑで接し、このとき、静止しているボール６の位置における床面３０から軌条体３の底部までの高さ寸法はｃ１となる。
【００４１】
しかしながら、上記寸法ｃ１は、通常の範囲では円弧状軌跡Ｓの半径がどのような寸法であっても、常に前記図３で示した寸法ａより小さくなり、従って軌条体３をボール６に接触させることなくテークバックをとることができる。
【００４２】
つぎに、ヘッド４０を前方に振り出してボール６を打撃するが、この場合、ボールを打撃する瞬間までは軌条体３はヘッド４０に対して反時計方向に角度θ３だけ回転して初期状態にもどり、打撃後は図１２に示すように、角度θ３だけ時計方向に回転した後、同方向の回転を阻止され、図１３に示すように、軌条体３は床面３０を離れて円弧状軌跡Ｓに沿って上昇する。
【００４３】
打撃されたボール６は上記実施形態例１のゴルフ練習具と同様軌条体３に乗り上げ制動される。本第２実施形態例の場合はヘッド４０に対する軌条体３の時計方向の回転阻止が打撃よりやや遅れて起こるので、打撃後も長い時間軌条体３が低い位置にあり、従って、打撃されたボール６が床面３０を転がる距離が長くなる。
【００４４】
なお、上記第２実施形態例は、基板１に対して軌条体３が反時計方向にも角度θ２だけ回転し得る構造となっているので、前記第１実施形態例のように軌条体３のわん曲半径が円弧状軌跡Ｓの半径より大きい場合にも適用でき、この場合には打撃後、ボール６が床面３０を転がる距離がいっそう長くなる。
【００４５】
〔第２実施形態例の応用例〕
上記第２実施形態例で、図１０における隙間寸法ｄを大きくして、基板１に対する軌条体３の時計方向回転の許容角度θ３を大きくし、更に、軌条体３のわん曲形状を適切に選択することにより、図１４に示すように、ヘッド４０で打撃されたボール６を軌条体３に接触させることなく、軌条体３の先端近くまで、床面３０を転がして到達させることができる。なお、図１４は、上記第２実施形態例の応用例の作用を、模式的に示した側面図である。
【００４６】
図１４において、ヘッド４０で打撃されたボール６は上記と同様床面３０を転がりはじめるが、打撃後のヘッド４０が円弧状軌跡Ｓの位置Ｈ１、Ｈ２、Ｈ３に進むにつれて、軌条体３はその底部が接する床面３０の位置を点Ｒ１、Ｒ２、Ｒ３と前方に移動し、転がっているボール６の前方の軌条体３を降下させつづける。この降下によって、転走するボール６の位置における床面から軌条体３の底部までの高さ寸法は、ボールが軌条体３に乗り上げるほどの高さ（図３の寸法ａ）には達せず、従って、ボールは軌条体３に接触することなく、軌条体３の前端近くまで床面３０を転走する。
【００４７】
軌条体３の前端近くまで転走したボール６は軌条体３に乗り上げるか、またはストッパー部材５に衝突して失速する。打撃後はヘッド４０を初期の位置に戻し、軌条体３の後端部を床面３０に軽く押さえつければ、ボール６は軌条体３の上を転がってヘッド４０まで戻ってくる。
本応用例において、軌条体３のわん曲半径が円弧状軌跡Ｓより大きい場合は、テークバックにより、軌条体３が基板１に対し適正角度だけ反時計方向に回転するのは、前記第１実施形態例とおなじである。
【００４８】
〔第３実施形態例〕
図１５〜図１９は本発明の第３実施形態例であるゴルフ練習具を示す図であり、本実施形態例では特に軌条体構成部材３ａ、３ａを可撓性を有する材料で形成し、基板に対する軌条体３の傾動を軌条体構成部材３ａ、３ａ自身の撓みによって行い得るようにしたものである。図１５はゴルフ練習具の側面図、図１６は図１５のＨ―Ｈ断面図、図１７〜図１９はその作用を示す側面図である。
【００４９】
本第３実施形態例では、軌条体３を構成する２個の軌条体構成部材３ａ、３ａは、薄いバネ鋼や樹脂材などのように適度な弾性と可撓性を有する材料で形成され、これらの軌条体構成部材３ａ、３ａの後端部は、基板１の前端部下面に図示を省略したカシメ、または接着剤による接着等によって固着されている。軌条体３のわん曲半径は前記第１実施形態例と同様に、多くの練習者がスイングした場合に、パター２３のヘッド４０底部が描く円弧状軌跡Ｓの半径より適当寸法だけ大きくしている。
【００５０】
部材４５は、軌条体３上を転がるボール６によって、２個の軌条体構成部材３ａ、３ａが軌条体３の幅方向に押し広げられるのを防止するために、前記２個の軌条体構成部材３ａ、３ａを連結した補強部材であり、該補強部材４５は一連の打撃練習を通して、ボール６に接触することがないように、図１６に示すように略トンネル状になっている。なお、上記以外はスイング直角方向指示機構４を含めて、前記第１実施形態例と同じである。
【００５１】
上記構成のゴルフ練習具において、図１５に示すように、軌条体３の底部を床面３０から微小寸法ｂ（図４の寸法ｂと同じ）だけ浮かした状態でパターを構え、ヘッド４０を後方に引いてテークバックをとると、軌条体３のわん曲半径が円弧状軌跡Ｓの半径より適量大きいことから、軌条体３の底面はやがて床面３０に接し、軌条体が後方に移動するにつれて、ヘッド４０と、床面３０に接した部位との間の軌条体３は、そのわん曲半径が初期のわん曲半径より小さくなるように撓みながら、図１７に示す状態でテークバックが終了する。
【００５２】
上記テークバックが終了した状態で、軌条体３の底部は床面３０と点Ｕで接し、床面３０に静止したままのボール６の位置における床面３０から、軌条体３の底部までの高さ寸法はｆとなる。しかしながら、この寸法ｆも通常の範囲では、図３で示した寸法ａより小さく、テークバックによって軌条体３が床面に静止したボール６に接触することはなく、２個の軌条体構成部材３ａ、３ａは、テークバック開始から終了までボール６中心から下方の側部をすり抜けつづける。
【００５３】
つぎに、ヘッド４０を前方に振り出してボールを打撃するが、打撃に至るまでは上記テークバックとは逆の過程をたどり、軌条体３は自身の弾力によって小さくなったわん曲半径を初期の半径に戻しながら、ヘッド４０と共に前方に移動し、図１５の状態にもどってボール６を打撃する。
【００５４】
打撃されたボール６は、上記と同様に、軌条体３に接触することなく前方に転がるものの、やがて円弧状軌跡Ｓに沿って上昇してくる軌条体に乗り上げる。そして図１８に示すようにパターの振り出し角θ４が小さい間は、ボール６の重量による軌条体３の撓みのため、ボール６は軌条体３に跨がった状態で床面３０上を転走するものの、図１９に示すように振り出し角度がθ５まで増大すると軌条体３は、同図１９に実線で示すように、撓んだまま円弧状軌跡Ｓに沿って上昇し、上記と同様ボール６は軌条体３上で制動され、軌条体３上を転がって元の位置に戻ってくる。打撃動作の終了後は、軌条体３は自身の弾性力により図１５のように元のわん曲形状に復帰する。
【００５５】
なお、本第３実施形態例は、第１及び第２実施形態例とは異なり、２個の軌条体構成部材３ａ、３ａの弾性力の強弱、その長さ、上記振り出し角度の大小等によって、打撃練習時の軌条体３およびボール６の挙動は、さまざまに変化し極めて興味深い練習が行える。以下その例を説明する。
【００５６】
１：軌条体が比較的長く、軌条体構成部材３ａ、３ａの弾性力が弱い場合は、パターの振り出し角度が図１９に示すθ５のように増大しても、軌条体３はその先端部を破線で示すように床面３０に略接するように大きく撓み、ボール６は上記第２実施形態例における軌条体３の時計方向回転の許容角度θ３を大きくした場合のように、軌条体３の先端部に辿りつくまで床面３０上を転がりつづける。この場合、ボール６を元の位置に戻してくるには、ヘッド４０を元の位置に戻し、ストッパー部材５で引っかけるようにして、ボール６を床面３０上を転がしながら戻してくればよい。
【００５７】
２；軌条体構成部材３ａ、３ａの弾性力を弱く、軌条体３を直線状に形成した場合は、軌条体３が比較的長くても、打撃後のボールを床面上を転走させながら軌条体３の先端部まで到達させることができる。
【００５８】
〔第４実施形態例〕
図２０〜図２２は、本発明の第４実施形態例であるゴルフ練習具を示す図である。図２０はゴルフ練習具の側面図、図２１はその作用を説明するための側面図である。本第４実施形態例では軌条体３のわん曲半径は、図２０に示すように、練習者がスイングする場合に、ヘッド４０の底部の描く円弧状軌跡Ｓの半径と略同じになるように構成され、２個の軌条体構成部材３ａ、３ａは図２２に示すように、その後端部において一体的にまとめられ、取り付け手段としての取り付けビス４０ａにより、ヘッド４０の底部に取り付けられている。なお、図２２は軌条体３とヘッド４０との取り付け状態を示す図で、ヘッド４０の近傍のみを上下反転した部分斜視図である。上記以外の、軌条体３の間隔、スイング直角方向指示機構４などはこれまでの実施形態例と同じである。
【００５９】
上記構成のゴルフ練習具において、練習に際して、図２０に示すように、軌条体３の底面が床面３０から微小寸法ｂ（図４の寸法ｂと同じ）だけ上方に浮かした状態にパター２３を構える。この寸法ｂは図３に示した寸法ａより小さい。このことからボール６は、軌条体構成部材３ａ、３ａに接することなく床面３０上に静止している。
【００６０】
つぎに、図２１に示すようにヘッド４０を後方に引いてテークバックをとるが、上記したように、軌条体３のわん曲半径が練習者の円弧状軌跡Ｓの半径と略同じであるため、軌条体が後方に移動しても、ボール位置における軌条体３の床面３０からの高さ寸法は変化せず、従って２個の軌条体構成部材３ａ、３ａは、床面３０上に静止したボール６に接触することなくテークバックが終了する。つぎにヘッド４０を前方に振り出してボール６を打撃するが、打撃の瞬間までは前記テークバックするときと逆の過程を経て、２個の軌条体構成部材３ａ、３ａはボール６に接することなく、ボール６の中心より下方の側部をすり抜けて前方に移動し、ヘッド４０で打撃する。
【００６１】
打撃されたボール６は上記と同様に、軌条体３に接することなく、或る距離だけ床面を転走し、その後において、円弧状軌跡Ｓに沿って上昇する軌条体にすくわれるように乗り上げて、軌条体３の勾配増加によって制動され、軌条体３上を転がって元の位置に戻ってくる。本実施形態例のように軌条体３のわん曲半径と、練習者の円弧状軌跡Ｓの半径を略等しくすることにより、上記各実施形態例のような傾動機構が不要となる。
【００６２】
なお、本実施形態例では２個の軌条体構成部材３ａ、３ａはその後端部において一体的にまとめられ、取付けビス４０ａにより、ヘッド４０の底部に取り付けた構成としたが、２個の軌条体構成部材３ａ、３ａの後端部を、それぞれ基板１と一体的に固着し、上記第１実施形態例と同様に、基板１を介して軌条体３をヘッド４０に取り付ける構成とすることもできる。
【００６３】
〔第５実施形態例〕
本発明のゴルフ練習具は、上記実施形態例で述べたように、打撃されたボール６は打撃位置から前方に、或る距離だけ軌条体３に接触することなく、床面を転走して軌条体３に乗り上げる。従って本発明ゴルフ練習具は、パターの打撃面２４から前方に向けて或る区間は軌条体３は必ずしも必要なものではない。
【００６４】
図２３および図２４は、上記観点からヘッド４０の打撃面２４の前方の或る区間には軌条体３を設けず、この区間は基板１と軌条体３を構成する軌条体構成部材３ａ、３ａを、連結部材３２で連結したものである。なお、図２３は、第５実施形態例の一部を示す平面図である。
【００６５】
図２３において、ヘッド４０の打撃面２４から前方（ｘ方向）に向けて或る寸法Ｌの区間には、軌条体構成部材３ａ、３ａは設けられておらず、この区間においては、２個の軌条体構成部材３ａ、３ａと基板１とは連結部材３２、３２で連結されている。連結部材３２、３２の間隔は、本実施形態例ではボール６の直径より大きくなっている。軌条体構成部材３ａ、３ａの後端３ａ´、３ａ´は、打撃されて床面３０を転がったボールが、軌条体構成部材３ａ、３ａに接する部位３３、３３より適当寸法だけ、後方（―ｘ方向）に位置している。
【００６６】
連結部材３２、３２は軌条体３の幅方向外側に向けて膨らんだ形に形成され、その前端は図示するように軌条体構成部材３ａ、３ａの後端に一体的に連結され、連結部材３２、３２の後端は図２４に示すように、ヒンジピン１０、１０を介して打撃面当接体７、７に連結される。
連結部材３２、３２の後端にはヒンジピン取り付け部材９ｂ、９ｃが設けられ、上記第１実施形態例において、図１に示した初期状態からの基板１に対する軌条体３の時計方向回動は、ヒンジピン取付け部材９ｂ、９ｃから後方に向けて突出して設けられたストッパー部材３４、３４が、打撃面当接体７、７に接触することにより阻止される。
【００６７】
本第５実施形態例におけるスイング直角方向指示機構４は、連結部材３２、３２に設けられ、また方向指示部材２１、２１にはマークが設けられていない。スイング直角方向指示機構４は、一連のスイング時に練習者が上から見て、ヘッドの打撃面２４と平行な向きを認識できればよいわけであるから、本実施形態例のようにスイング直角方向指示機構４は、軌条体３ではなく連結部材３２、３２に取付けても、上記実施形態例と同様の作用効果を奏する。なお、上記した以外は、第５実施形態例は前記第１実施形態例と略同一であり、図２４は図２３の一部分を示す部分斜視図である。
【００６８】
〔第６実施形態例〕
図２５〜図２７は第６実施形態例のゴルフ練習具を示す図で、図２５は一部分を示す側面図、図２６は部分平面図、図２７は部分斜視図である。図示するように基板１には前後に支持部材３５、３６が立設され、これら支持部材にはｘ方向一線上に孔３７、３８が設けられている。３９は基板１をパターのヘッド４０に取り付けるための支持ピンであり、該支持ピンの前方には小径の雄ネジが、また後端にはローレットつまみ部が設けられている。
【００６９】
ピンの前方には止め輪４１が設けられ、該止め輪４１の後面からローレットつまみ部までの寸法は、支持部材３５、３６の間隔と略同じである。基板１の両側部にはヒンジピン取り付け部材４２、４２が設けられ、該ヒンジピン取り付け部材４２、４２と軌条体構成部材３ａ、３ａの後部に設けられたヒンジピン取り付け部材４３、４３とは、ヒンジピン１０、１０で連結されている。
【００７０】
支持部材３５、３６の孔３７、３８には支持ピン３９が回転可能に挿入され、抜け出し防止の止め輪４１が支持ピン３９に設けられた溝に嵌め合わされている。ヒンジピン取り付け部材４３、４３より後方の軌条体構成部材３ａ、３ａは、基板１の底面と適当間隔の隙間ｇを介して配置され、軌条体３の後端部の上向きの折曲部４４、４４が基板１の底面に接した状態で、図２５に示すように、基板１のわん曲線の前部における接線と、軌条体３の後部におけるわん曲線の接線が略同じ傾きになっている。
【００７１】
上記のように構成された基板１と軌条体３は、支持ピン３９前端の小径雄ネジ部を、パターヘッド４０の後面に設けられた雌ネジ止まり穴にねじ込むことによって、ヘッド４０に取り付け固定する。このように取り付けた状態で図２５に示すように、軌条体３は基板１、すなわちヘッド４０に対して、実線で示す状態から破線で示すように反時計方向には角度θ６だけ回転可能であるものの、時計方向の回転は軌条体構成部材３ａ、３ａの後部の折曲部４４、４４と、基板１の底面の接触によって阻止される。なお、上記軌条体３の反時計方向回転を許容するため、基板１及び軌条体３をヘッド４０に取り付けた状態で、ヘッド４０と軌条体３の間には上下方向に適当な寸法の隙間が設けられている。
【００７２】
本第６実施形態例は上記のように構成されており、上記第１実施形態例と同様な作用効果を奏する。そして、特に、本実施形態例では、パター２３のヘッド４０に取り付けられた状態で、支持ピン３９を軸にして、基板１と軌条体３が適当角度だけ自由に回転できるので、パター２３を構えた状態における床面３０とパターシャフト２３ａのなす角度、すなわち前記構え角が異なっている場合でも、床面３０に軌条体３を接触させるだけで、軌条体３と基板１がパターのヘッド４０に対して自動的に回転し、２個の軌条体構成部材３ａ、３ａのうちの一方だけが床面３０に接し、他方が床面３０から浮き上がることがないので、構えた状態で上方から見た軌条体が湾曲して見えるという不具合を解消できる。本実施形態例において、上記以外は前記第１実施形態例と同じである。
【００７３】
〔第７実施形態例〕
図２８は本発明の第７実施形態例のゴルフ練習具の一部分を示す分解斜視図であり、本実施形態例ではパターのシヤフト２３ａに基板１及び軌条体３を取付けるようにしたものである。同図において、１３５ａ、１３５ｂは締め付けビス１３６ｃ、１３６ｃにより着脱自在にパターのシヤフト２３ａに締め付け固定できる二つ割りクランプ１３５のクランプ片、１３６はクランプ片１３５ａ後方にｘ方向に固着された軸、１３８は軸１３６に回動、摺動自在に遊嵌された筒状部材１３７を軸１３６に固着するための押ネジ、１３９は筒状部材１３７の下方に固着され、その下辺がｚ方向に伸びる逆Ｌ字状部材である。
【００７４】
また１４０は該逆Ｌ字状部材１３９の下辺に回動摺動可能に遊嵌され下方にｘ方向の孔１４１を有する板状部材１４２が固着された筒状部材、１４３は筒状部材１４０を逆Ｌ字状部材１３９に固着するための押ネジ、１はヘッド４０の底部に配置され前方が二股状に開いた二股状の基板、１４５はｘ方向の孔１４６を有し二股状の基板１の後方に立設された板状部材、１４７は板状部材１４５と板状部材１４２を固定するためのビス、１４８はビス１４７に螺入されるナット、２、２は二股状基板１の前端と軌条体構成部材３ａ、３ａの後端を連結した傾動機構である。
【００７５】
上記ゴルフ練習具は、締付けビス１３６ｃ、１３６ｃを抜き、二つ割りクランプ１３５をシヤフト２３ａから取り外すことができ、着脱自在に軌条体３をパター２３に取付けることができる構造となっている。なお、この取付け構造によれば、ヘッド４０に対する軌条体３のｙ、ｚ方向の調整が行え、更にナット１４８を緩め、軌条体３をビス１４７を軸にして回動することにより、軌条体３の幅方向（ｚ方向）とシヤフト２３ａのなす角度を調整することができ、この調整を適正に行うことにより、練習者がいかなる構え角を有していても上方から見た軌条体が湾曲して見えるという不具合を解消できる。なお、本第７実施形態例において、上記以外はスイング直角方向指示機構４を含め、上記各実施形態例と略同じである。
【００７６】
〔第８実施形態例〕
図２９は本発明の第８実施形態例のゴルフ練習具を示す部分側面図である。本ゴルフ練習具はヘッドの後部が略垂直に形成されたパターのヘッド部に取付けることができるようにしたものである。同図において、７０は上部にはｘ方向に貫通した雌ネジ孔７１を、また下面には雌ネジ穴７２を有する押圧用支持部材であり、雌ネジ孔７１には、後端部にローレットつまみ７３、また前端部には押圧座金７４を設けた押ネジ７５がねじ込まれる。また、押圧用支持部材７０は、基板１に複数個設けられた孔の下方から挿入したビス７６をねじ込むことによって、複数個の孔のいずれの位置にも取り付けることができる。
【００７７】
本発明の第８実施形態例のゴルフ練習具は、上記のように構成されており、前記形状のパターのヘッド４０を取付けるには、押圧用支持部材７０を基板１に取り付けた後、ヘッドの打撃面２４を基板１に設けた打撃面当接体７、７にあてがい、ヘッド４０の底面を基板１の両側部にのせる。つぎに押ネジ７５を回し、押圧座金７４を介してヘッドを押圧する。これによりヘッド４０は、押圧座金７４と打撃面当接体７、７に挟まれて摩擦固定される。
【００７８】
〔第９実施形態例〕
図３０〜図３２は本発明のゴルフ練習具に用いるスイング直角方向指示機構４の他の構成例を示す図であり、図３０は平面図、図３１は斜視図、図３２は作動を説明する平面図である。本構成例のスイング直角方向指示機構は図示のように、軌条体３の外方に向けて突出するように、２個の軌条体構成部材３ａ、３ａに取り付けられた取り付け座８０、８０と、該取り付け座８０、８０に取り付けられた略アーチ状を呈する方向指示部材１５ｃから成る。該方向指示部材１５ｃは、アーチとして形成されたスイング直角方向指示部材１８ｂと、その頂部に一体的に設けられたスイング直角方向を指し示す棒状部材２１ｃとから成る。
なお、上方から見てスイング直角方向指示部材１８ｂと棒状部材２１ｃは、直角となるように形成されている。スイング直角方向指示部材１８ｂの下部には座８１、８１が設けられ、該座にはそれぞれ軌条体幅方向に長い長孔８２、８２が設けられている。８３、８３は上記取り付け座８０、８０に設けられた軌条体長手方向の長孔である。８４、８４は長孔８２、８３を介して方向指示部材１５ｃを取り付け座８０に取り付けるためのビスであり、８５、８５はローレットナットである。
【００７９】
上記構成のスイング直角方向指示機構４は以下のように使用する。構えた状態で上方から見た軌条体が湾曲して見える場合、練習に先立ってまずローレットナット８５、８５を緩め、図３２に示すように方向指示部材１５ｃを移動して調整する。この調整は、練習者が構えた状態で上から見たスイング直角方向指示部材１８ｂが前記同様にヘッドの打撃面２４の方向ｎと平行な直線Ｋ上にあって、且つ棒状部材２１ｃがボール中心を通る打撃目標線Ｍの真上にあるように行う。調整後はふたたびローレットナット８５、８５を締め付けて方向指示部材１５ｃを取り付け座８０、８０に固定する。
【００８０】
上記のようにスイング直角方向指示機構４を調整した本発明のゴルフ練習具は、前記同様に、上方から見たスイング直角方向指示部材１８ｂを打撃目標線Ｍに対して直角に保ちながら、床上に静止したボール６の真上を棒状部材２１ｃが通過するようにスイングするだけで、湾曲して見える軌条体に惑わされることなく、直線的なスイングを習得することができる。なお、スイング直角方向指示部材１８ｂがヘッドの打撃面２４より前方に設けられているので、テークバック時にヘッド打撃面２４の方向が視野から外れて見えなくなっても、この打撃面２４の向きを視野内に残っているスイング直角方向指示部材１８ｂの向きで管理できるのは前記した各構成例と同じである。
【００８１】
〔第１０実施形態例〕
図３３〜図３５は本発明のゴルフ練習具に用いるスイング直角方向指示機構４の他の構成例を示す図である。本構成のスイング直角方向指示機構４は図３３の平面図に示すように、軌条体３の長手方向中心線に対して対称な所定位置に、軌条体幅方向外側に向けて軌条体構成部材３ａ、３ａの一部を突出させて方向指示部材１５ｄ、１５ｄを形成する突出部９３、９３を設け、該突出部９３、９３の一部を軌条体幅方向内側に向けて折り返し、該折り返し部をスイング直角方向指示部材１８ｃ、１８ｃとしたものである。この場合、上記スイング直角方向指示部材１８ｃ、１８ｃのｚ方向の中心線は、図示するように、上方から見たヘッドの打撃面２４の方向ｎと平行な直線Ｋ上にある。なお、図３４は本構成例のスイング直角方向指示機構４の斜視図である。
【００８２】
本構成のスイング直角方向指示機構４は、軌条体長手方向に対するスイング直角方向指示部材１８ｃ、１８ｃの向きを変えるための調整手段を具備していない。しかしながら、前記構えた状態で上方から見た軌条体がそれほど湾曲しておらず、略直線に近い形状に見える場合は、図３５に示すように上方から見て、対向したスイング直角方向指示部材１８ｃ、１８ｃを結んだ直線Ｋが、ヘッド打撃面の方向ｎと近似的に平行に見えることから、本構成のスイング直角方向指示機構も、前記した方向指示機構と同様の作用効果を奏するのである。すなわち、打撃練習に際しては、ヘッドを後方に引いて打撃面２４の向きが視野から外れた場合でも、直線Ｋを打撃目標線Ｍに直角に保ちながら、向かい合ったスイング直角方向指示部材１８ｃ、１８ｃがボールから等距離の位置をすり抜けるようにスイングすることで、前記同様に正しいスイングが習得できるのである。
【００８３】
〔第１１実施形態例〕
図３６は、本発明のゴルフ練習具に用いるスイング直角方向指示機構４の他の構成例を示す平面図である。本構成のスイング直角方向指示機構４は上記と同様に軌条体の所定位置に、軌条体幅方向外側に向けて軌条体構成部材３ａ、３ａの一部を突出させて方向指示部材１５ｅ、１５ｅを形成する突出部９４、９４を設け、該突出部９４、９４に十字状の孔を設けたものである。該十字状の孔は軌条体３の長手方向中心線に対して線対称な位置にある。該十字状の孔の軌条体幅方向の長い孔９６、９６の中心線は、前記同様に上方から見たヘッド打撃面２４の方向ｎと平行な直線Ｋ上にある。本構成のスイング直角方向指示機構４も、構えた状態で上から見た軌条体がそれほど湾曲しておらず略直線状に見える場合は、孔９６、９６を結んで想像できる直線Ｋが、ヘッド打撃面２４の方向ｎと近似的に平行になっているので、前記同様の作用効果を奏する。
【００８４】
〔第１２実施形態例〕
図３７は本発明のゴルフ練習具に用いるスイング直角方向指示機構４の他の構成例を示す平面図である。本スイング直角方向指示機構４も前記同様に軌条体３の中心線に略対称な所定の位置に、軌条体幅方向外側に向けて軌条体構成部材３ａ、３ａの一部を突出させて、方向指示部材１５ｆ、１５ｆを形成する突出部９８、９８を設け、該突出部９８、９８を幅の狭いネック部９９、９９と、該ネック部９９、９９の先端に設けた孔１００、１００を有する円板状部材１０１、１０１により構成したものである。本構成例の場合も前記同様に孔１００、１００の中心を結んだ直線Ｋは、ヘッドの打撃面２４の方向ｎと平行である。スイング直角方向指示機構は本構成例のように構成しても、上方から見た場合にこれら孔１００、１００を結んだ打撃面２４と、平行な軌条体幅方向の直線を容易に想定できることから、前記スイング直角方向指示機構と同様の作用効果を奏する。
【００８５】
〔第１３実施形態例〕
図３８は本発明のゴルフ練習具に用いるスイング直角方向指示機構４の他の構成例を示す平面図である。本スイング直角方向指示機構４も、前記同様に軌条体３の中心線に略対称な所定の位置に、軌条体幅方向外側に向けて、軌条体構成部材３ａ、３ａの一部を突出させて方向指示部材１５ｇ、１５ｇを形成する突出部１０２、１０２を設け、該突出部１０２、１０２を幅の狭いネック部１０３、１０３と、該ネック部１０３、１０３の先端に設けた半円形の部材１０４、１０４により構成したものである。本構成例の場合も前記同様に、半円形の部材１０４、１０４の中心を結んだ直線Ｋは、ヘッド打撃面２４の方向ｎと平行である。スイング直角方向指示機構は本構成例のように構成しても、上方から見た場合に、これら半円形の部材１０４、１０４を目安として、該半円形の部材１０４、１０４を結んだ直線をを容易に想定できることから、前記スイング直角方向指示機構と同様の作用効果を奏する。
【００８６】
〔第１４実施形態例〕
図３９は本発明のゴルフ練習具に用いるスイング直角方向指示機構４の他の構成例を示す平面図である。本スイング直角方向指示機構４も、前記同様に軌条体３の中心線に略対称な所定の位置に、軌条体幅方向外側に向けて軌条体構成部材３ａ、３ａの一部を突出させて、方向指示部材１５ｈ、１５ｈを形成する台形状の突出部１０５、１０５を設け、該突出部１０５、１０５をスイング直角方向指示部材としたものである。
本構成例の場合も前記同様に、突出部１０５、１０５の略中心を結んだ直線Ｋは、ヘッド打撃面２４の方向ｎと平行である。スイング直角方向指示機構は本構成例のように構成しても上方から見た場合、突出部１０５、１０５を目安として、該突出部１０５、１０５を結んだ打撃面２４に近似的に平行な軌条体幅方向の直線を容易に想定できることから、前記スイング直角方向指示機構と同様の作用効果を奏する。
【００８７】
〔第１５実施形態例〕
図４０は本発明のゴルフ練習具に用いるスイング直角方向指示機構４の他の構成例を示す平面図である。本スイング直角方向指示機構４も前記同様に、軌条体３の中心線に略対称な所定の位置に、軌条体幅方向外側に向けて、軌条体構成部材３ａ、３ａの一部を突出させて、方向指示部材１５ｉ、１５ｉを形成する細長い板状の突出部１０６、１０６を設け、該突出部１０６、１０６をスイング直角方向指示部材としたものであるが、特に本実施形態例のものは、これらスイング直角方向指示部材１０６、１０６をビス１１０ａ、１１０ａを用いて軌条体構成部材３ａ、３ａに取り付け、該ビスを緩めることにより、同図４０に破線で示すように、スイング直角方向指示部材１０６、１０６を、軌条体構成部材３ａ、３ａに対し回動可能に構成し、所定角度回動後に再びビスを締め付けて、固定し得るようにしたものである。
【００８８】
上記のように構成されたスイング直角方向指示機構は、前記同様に上方から見た軌条体がわん曲して見える場合、まずビスを緩めて図４１に示すように、図中上方に位置するスイング直角方向指示部材１０６のｚ方向中心線が、打撃面２４の方向ｎと近似的に平行な直線Ｋ１と略一致するように回動し、ビスを締めて固定する。つぎに、同様の手順で図中下方に位置するスイング直角方向指示部材１０６のｚ方向中心線が、打撃面２４の方向ｎと近似的に平行な直線Ｋ２と略一致するように回動し、ビスを締めて固定する。
【００８９】
上記のように調整されたスイング直角方向指示機構は、上方から見た軌条体３がわん曲しているにもかかわらず、スイング直角方向指示部材１０６、１０６のｚ方向中心線が打撃面２４の方向ｎと略平行な直線Ｋ１、Ｋ２と略一致しているので、スイング途上におけるパターヘッド打撃面２４の、打撃目標線Ｍに対する直角性が極めて保持しやすいという利点がある。なお、上記のように調整した状態では直線Ｋ１とＫ２は、同図４１に示すように微小寸法だけ軌条体の長手方向に隔たっているが、こうした隔たりは実用の範囲では不具合のない程度のものであり、特にこうした不具合は、スイング直角方向指示部材１０６、１０６を軌条体幅方向に適度に長く構成することにより、無視し得る程度にとどめることができる。
【００９０】
〔第１６実施形態例〕
図４２は本発明のゴルフ練習具に用いるスイング直角方向指示機構４の他の構成例を示す平面図である。本スイング直角方向指示機構４も、前記同様に軌条体３の中心線に略対称な所定の位置に、軌条体幅方向外側に向けて軌条体構成部材３ａ、３ａの一部を突出させて、方向指示部材１５ｊ、１５ｊを形成する突出部１０７、１０７を設け、該突出部１０７、１０７をスイング直角方向指示部材としたものである。
スイング直角方向指示機構は、本構成例のように、突出部の前側（ｘ側）と後側（―ｘ側）を異なる形状に構成しても上方から見た場合、突出部１０７、１０７を目安として、該突出部１０７、１０７を結んだ打撃面２４の方向ｎに近似的に平行な軌条体幅方向の直線Ｋを想像することは容易であり、したがってスイング直角方向指示機構は本構成例のように構成しても同様の作用効果を奏する。
【００９１】
以上に述べた第１０実施形態例〜第１６実施形態例（図３３〜図４２）では、軌条体の長手方向中心線に対して略対称な位置に、軌条体の幅方向外側に向けて突出した種々の形態の突出部を設け、これら突出部をスイング直角方向指示部材とした構成例を述べた。しかしながらスイング直角方向指示部材の形態は上記以外にも種々のものが容易に考えられる。すなわち、本発明のスイング直角方向指示部材は、軌条体の長手方向中心線に対し略対称な位置に設けられた目印であればよく、軌条体を上方から見た場合この目印を結んで軌条体長手方向中心線に対し略直角な前記直線Ｋを想定することは極めて容易であることから、こうした目印としての機能をもつスイング直角方向指示部材の構成例は、上記したものの他にも種々のものが容易に実施できる。
【００９２】
〔第１７実施形態例〕
図４３（ａ）、（ｂ）は本発明のゴルフ練習具に用いる傾動機構２の他の構成例を示す図である。同図に示す構成例はいずれもゴム、皮革、柔軟性のあるプラスチック等屈曲性を有する部材を用いて軌条体３を傾動できるようにしたものである。図４３（ａ）においては、基板１の前端に設けられた打撃面当接体７、７と軌条体３の後部は、屈曲可能なゴム、皮革等からなる略Ｌ字状の可撓体５４で、接着剤５４ａにより一体的に固着される。以上のように構成された傾動機構２は、同図（ｂ）に示すように可撓体５４を屈曲させて軌条体３を基板１に対し、初期の状態から角度θ７だけ反時計方向に傾動させることは容易であるが、初期の状態からの時計方向の回転は実質的に阻止される。
【００９３】
〔第１８実施形態例〕
図４４（ａ）は、本発明のゴルフ練習具に用いる傾動機構２の他の構成例を示す図である。本傾動機構２は皮革等の可撓可能な材料を用いて、軌条体３を傾動し得るように構成したものである。同図において、基板１の両側部前端には前方に向けて突出した部材５２が設けられている。５３は適度な可撓性を有する皮革等から成る可撓材であり、この可撓材５３は前記部材５２の前端と軌条体構成部材３ａの後端面を密接した状態で、部材５２と軌条体構成部材３ａの上面に跨がるように接着剤５４ａにより貼着されている。
【００９４】
上記構成の軌条体の傾動機構２は、図４４（ｂ）に示すように、可撓材５３を屈曲させて、軌条体３を基板１に対して、初期の状態から反時計方向に角度θ８回転させることは容易であるが、初期の状態からの時計方向の回転は実質的に阻止される。なお、上述の傾動機構２は、上記第１実施形態例等のゴルフ練習具にも適用できる。
【００９５】
〔第１９実施形態例〕
図４５（ａ）は本発明のゴルフ練習具に用いる軌条体３の傾動機構２の他の構成例を示す図である。本傾動機構２は軌条体３の途上に設け、後方の軌条体３に対して前方の軌条体３が傾動するように構成されている。基板１に固着され、前方に伸びた軌条体３はその後方寄りの一部の区間が切除され、該切除区間の軌条体３は皮革、ゴム等の可撓性を有する可撓材５３を介して接着等により連結されている。なお、５４ａは接着剤である。
【００９６】
上記構成の軌条体の傾動機構２は、図４５（ｂ）に示すように、基板１に対して図４５（ａ）の状態から反時計方向に角度θ９だけ回転できるとともに、図４５（ｃ）に示すように、図４５（ａ）の状態から時計方向に、角度θ１０だけ回転することができ、前記第２実施形態例のゴルフ練習具に適用した場合は、ヒンジピンを用いたのと同様の作用効果を奏する。
【００９７】
図４６〜図４９は、本発明のゴルフ練習具に用いる軌条体３の形状を示す図である。図４６に示す軌条体３は異なる半径のわん曲線を組み合わせたものである。また、図４７に示す軌条体３は略水平な直線状に構成されたものである。また、図４８に示す軌条体３は前方上がりの直線状に構成したものである。また、図４９に示す軌条体３は直線状に形成した軌条体３の前方に、更にわん曲した軌条体を一体的に構成したものである。
【００９８】
なお、上記した図４６〜図４９には、前記第１、第２実施形態例のゴルフ練習具と同様に、基板１と軌条体３がヒンジピン等の傾動機構を介して連結された例を示したが、これら図４６〜図４９に示した軌条体３の形状は、例えば前記第３実施形態例に示したように軌条体を可撓性有する材料で構成する場合や、第４実施形態例に示したように、基板を設けず、ヘッドに軌条体を取り付けるようにした場合にも適用できる。
【００９９】
なお、これまでの実施形態例は、２個の軌条体構成部材のそれぞれにスイング直角方向指示部材を設け、２個の方向指示部材が、軌条体の中心線に対して互いに対向した構成のものを述べてきたが、スイング直角方向指示部材は必ずしも軌条体の中心線の両側に必要ではなく、片側だけに設けられていても同様の作用効果を奏することは明らかである。
【０１００】
また、前記スイング直角方向指示機構の設置位置は前記各実施形態例に示したように、軌条体の後方寄りの位置に限定されるものではなく、軌条体の長手方向のいずれの位置にも取り付けることができる。すなわち、スイング直角方向指示機構は、軌条体の長さに応じて使用しやすい位置であれば、軌条体の前方寄りにも設置することができるし、さらには、軌条体の先端にも設置することができる。そして、このように軌条体の先端に設置する場合は、前記ストッパー５と一体的に構成することもできる。
【０１０１】
なお、これまでの説明ではおもにスイング直角方向指示機構を軌条体に取り付けた構成例を述べたが、本発明ゴルフ練習具のスイング直角方向指示機構は、軌条体をパターに取り付けた状態でヘッドの打撃面より前方に設けられていれば、どの部分に取り付けられていても同様の作用効果を奏する。すなわち、スイング直角方向指示機構は図２３に示したように、軌条体と取付け手段を連結した連結部材にも取り付けることができるし、これと類似した連結部材等にも取り付けることができる。
また更に、前記スイング直角方向指示機構は、取付け手段に対して傾動し得ることが必ずしも必要でないことから、軌条体をパターに取り付けるための取付け手段にも取り付けることができる。そしてこのように取付け手段に取り付ける場合は、例えば取り付け手段から前方に向けて、スイング直角方向指示機構を取り付けるための図示を省略した部材を延設し、この延設した部材等にも取り付けることができる。
【０１０２】
（発明の効果）
以上詳しく述べたように、軌条体等の所定位置にスイング直角方向指示機構を設けた本発明のゴルフ練習具によれば、上方から見た軌条体が本来スイングするべき打撃目標線から逸脱しわん曲して見える場合でも、スイング直角方向指示部材の向きを、上方から見てヘッド打撃面の向きと平行になるよう調整しておくだけで、軌条体のわん曲線に惑わされることなく、ヘッドの打撃面の向きを打撃目標線に直角に保ったままスイングすることができる。これにより、テークバック時にヘッドが後方移動して、ヘッド打撃面の向きが視野から外れてしまう場合でも、該打撃面の向きを視野内に残っているスイング直角方向指示部材の向きで管理することができ、ヘッド打撃面の向きを打撃目標線に対し直角に保ったままスイングするという、パッティングの基本動作をきわめて習得しやすいという優れた効果を有する。
【図面の簡単な説明】
【０１０３】
【図１】  本発明のゴルフ練習具の構成例を示す側面図である。
【図２】  図１に示すゴルフ練習具の平面図である。
【図３】  図１に示すゴルフ練習具のＡ―Ａ断面図である。
【図４】  図１に示すゴルフ練習具のＢ―Ｂ断面図である。
【図５】  図２に示すゴルフ練習具のＣ部分の分解斜視図である。
【図６】  本発明のゴルフ練習具に用いるスイング直角方向指示機構の分解斜視図である。
【図７】  図１に示すゴルフ練習具の作動を説明するための側面図である。
【図８】  図６に示すスイング直角方向指示機構の作動を説明するための平面図である。
【図９】  図６に示すスイング直角方向指示機構の作動を説明するための平面図である。
【図１０】  本発明のゴルフ練習具の他の構成例を示す側面図である。
【図１１】  図１０に示すゴルフ練習具の作用を説明するための側面図である。
【図１２】  図１０に示すゴルフ練習具の作用を説明するための側面図である。
【図１３】  図１０に示すゴルフ練習具の作用を説明するための側面図である。
【図１４】  図１０に示すゴルフ練習具の応用例の作用を説明するための側面図である。
【図１５】  本発明のゴルフ練習具の他の構成例を示す側面図である。
【図１６】  図１５に示すゴルフ練習具のＨ―Ｈ断面図である。
【図１７】  図１５に示すゴルフ練習具の作用を説明するための側面図である。
【図１８】  図１５に示すゴルフ練習具の作用を説明するための側面図である。
【図１９】  図１５に示すゴルフ練習具の作用を説明するための側面図である。
【図２０】  本発明のゴルフ練習具の他の構成例を示す側面図である。
【図２１】  図２０に示すゴルフ練習具の作用を説明するための側面図である。
【図２２】  図２０に示すゴルフ練習具のパターヘッドへの取り付け手段を示す図で、上下反転した斜視図である。
【図２３】  本発明のゴルフ練習具の他の構成例を示す平面図である。
【図２４】  図２３に示すゴルフ練習具の１部分の斜視図である。
【図２５】  本発明のゴルフ練習具の他の構成例を示す部分側面図である。
【図２６】  図２５に示すゴルフ練習具の部分平面図である。
【図２７】  図２５に示すゴルフ練習具の部分斜視図である。
【図２８】  本発明のゴルフ練習具の他の構成例を示す分解斜視図である。
【図２９】  本発明のゴルフ練習具の他の構成例を示す部分側面図である。
【図３０】  本発明のゴルフ練習具に用いるスイング直角方向指示機構の他の構成例を示す平面図である。
【図３１】  図３０に示すスイング直角方向指示機構の斜視図である。
【図３２】  図３０に示すスイング直角方向指示機構の作動を説明するための平面図である。
【図３３】  本発明のゴルフ練習具に用いるスイング直角方向指示機構の他の構成例を示す平面図である。
【図３４】  図３３に示すスイング直角方向指示機構の斜視図である。
【図３５】  図３３に示すスイング直角方向指示機構の作動を説明するための平面図である。
【図３６】  本発明のゴルフ練習具に用いるスイング直角方向指示機構の他の構成例を示す平面図である。
【図３７】  本発明のゴルフ練習具に用いるスイング直角方向指示機構の他の構成例を示す平面図である。
【図３８】  本発明のゴルフ練習具に用いるスイング直角方向指示機構の他の構成例を示す平面図である。
【図３９】  本発明のゴルフ練習具に用いるスイング直角方向指示機構の他の構成例を示す平面図である。
【図４０】  本発明のゴルフ練習具に用いるスイング直角方向指示機構の他の構成例を示す平面図である。
【図４１】  図４０に示すスイング直角方向指示機構の作動を説明するための平面図である。
【図４２】  本発明のゴルフ練習具に用いるスイング直角方向指示機構の他の構成例を示す平面図である。
【図４３】  同図（ａ）は本発明のゴルフ練習具に用いる傾動機構の他の構成例を示す部分側面図、同図（ｂ）は作用を説明するための図である。
【図４４】  同図（ａ）は本発明のゴルフ練習具に用いる傾動機構の他の構成例を示す部分側面図、同図（ｂ）は作用を説明するための図である。
【図４５】  同図（ａ）は本発明のゴルフ練習具に用いる傾動機構の他の構成例を示す部分側面図、同図（ｂ）及び（ｃ）は作用を説明するための図である。
【図４６】  本発明のゴルフ練習具の他の構成例を示す側面図である。
【図４７】  本発明のゴルフ練習具の他の構成例を示す側面図である。
【図４８】  本発明のゴルフ練習具の他の構成例を示す側面図である。
【図４９】  本発明のゴルフ練習具の他の構成例を示す側面図である。
【図５０】  従来のゴルフ練習具を示す側面図である。
【図５１】  図５０に示す従来のゴルフ練習具の平面図である。
【図５２】  図５０に示す従来のゴルフ練習具のＥ―Ｅ断面図である。
【図５３】  図５０に示す従来のゴルフ練習具のＦ―Ｆ断面図である。
【図５４】  図５０に示す従来のゴルフ練習具の正面図である。
【図５５】  図５０に示す従来のゴルフ練習具の使用状態を示す平面図である。
【図５６】  図５０に示す従来のゴルフ練習具の使用状態を示す正面図である。
【図５７】  図５０に示す従来のゴルフ練習具の使用状態を示す平面図である。
【図５８】  図５０に示す従来のゴルフ練習具の使用状態を示す正面図である。
【符号の説明】
【０１０４】
１    基板、  ２    傾動機構、  ３    軌条体、  ３ａ    軌条体構成部材、
４    スイング直角方向指示機構、  ５    ストッパー、  ６    ボール、
７    打撃面当接体、  １５    方向指示部材、
１８    スイング直角方向指示部材。
【図１】
0004076275.tif 000002
【図２】
0004076275.tif 000003
【図３】
0004076275.tif 000004
【図４】
0004076275.tif 000005
【図５】
0004076275.tif 000006
【図６】
0004076275.tif 000007
【図７】
0004076275.tif 000008
【図８】
0004076275.tif 000009
【図９】
0004076275.tif 000010
【図１０】
0004076275.tif 000011
【図１１】
0004076275.tif 000012
【図１２】
0004076275.tif 000013
【図１３】
0004076275.tif 000014
【図１４】
0004076275.tif 000015
【図１５】
0004076275.tif 000016
【図１６】
0004076275.tif 000017
【図１７】
0004076275.tif 000018
【図１８】
0004076275.tif 000019
【図１９】
0004076275.tif 000020
【図２０】
0004076275.tif 000021
【図２１】
0004076275.tif 000022
【図２２】
0004076275.tif 000023
【図２３】
0004076275.tif 000024
【図２４】
0004076275.tif 000025
【図２５】
0004076275.tif 000026
【図２６】
0004076275.tif 000027
【図２７】
0004076275.tif 000028
【図２８】
0004076275.tif 000029
【図２９】
0004076275.tif 000030
【図３０】
0004076275.tif 000031
【図３１】
0004076275.tif 000032
【図３２】
0004076275.tif 000033
【図３３】
0004076275.tif 000034
【図３４】
0004076275.tif 000035
【図３５】
0004076275.tif 000036
【図３６】
0004076275.tif 000037
【図３７】
0004076275.tif 000038
【図３８】
0004076275.tif 000039
【図３９】
0004076275.tif 000040
【図４０】
0004076275.tif 000041
【図４１】
0004076275.tif 000042
【図４２】
0004076275.tif 000043
【図４３】
0004076275.tif 000044
【図４４】
0004076275.tif 000045
【図４５】
0004076275.tif 000046
【図４６】
0004076275.tif 000047
【図４７】
0004076275.tif 000048
【図４８】
0004076275.tif 000049
【図４９】
0004076275.tif 000050
【図５０】
0004076275.tif 000051
【図５１】
0004076275.tif 000052
【図５２】
0004076275.tif 000053
【図５３】
0004076275.tif 000054
【図５４】
0004076275.tif 000055
【図５５】
0004076275.tif 000056
【図５６】
0004076275.tif 000057
【図５７】
0004076275.tif 000058
【図５８】
0004076275.tif 000059